(57)【要約】【課題】伝送路補間フィルタを適切に選択することで受信性能を向上させること。【解決手段】等化部と並列に設けられそれぞれ異なる伝送路補間フィルタが接続された複数の等化手段と、等化手段の後段にそれぞれ設けられ特定の等化手段がこの等化手段に接続された伝送路補間フィルタを用いて行った補間結果について誤り訂正を行う複数の誤り訂正手段と、誤り訂正手段による誤り訂正結果に基づいて誤りデータの比率を示す誤り率を算出する誤り率算出手段と、誤り率算出手段によってそれぞれ算出された誤り率に基づいて等化部において用いられる伝送路補間フィルタを決定する決定手段とを有するフィルタ決定部を備えるように受信装置を構成する。【選択図】        図２
2010063028.tif 000002
【特許請求の範囲】
【請求項１】
直交周波数分割多重信号の歪みを補正する等化部が使用する伝送路補間フィルタを複数の伝送路補間フィルタの中から選択する受信装置であって、
前記等化部と並列に設けられそれぞれ異なる伝送路補間フィルタが接続された複数の等化手段と、
前記等化手段の後段にそれぞれ設けられ前記等化手段が当該等化手段に接続された伝送路補間フィルタを用いて行った補間結果について誤り訂正を行う複数の誤り訂正手段と、
前記誤り訂正手段による誤り訂正結果に基づいて誤りデータの比率を示す誤り率を算出する誤り率算出手段と、
前記誤り率算出手段によってそれぞれ算出された前記誤り率に基づいて前記等化部において用いられる伝送路補間フィルタを決定する決定手段と
を備えたことを特徴とする受信装置。
【請求項２】
前記決定手段は、
最小の前記誤り率に対応する伝送路補間フィルタを前記等化部において用いられる伝送路補間フィルタとして決定することを特徴とする請求項１に記載の受信装置。
【請求項３】
前記誤り訂正手段は、
ビタビ硬判定を用いた誤り訂正を行うことを特徴とする請求項１に記載の受信装置。
【請求項４】
前記等化手段、前記誤り訂正手段、前記誤り率算出手段および前記決定手段を含んだアンテナ系列を複数有する場合に、各アンテナ系列に属する前記誤り率算出手段によってそれぞれ算出された前記誤り率に基づき、各アンテナ系列からの出力データを合成する際の重み付け値を算出する重み付け値算出手段
をさらに備えたことを特徴とする請求項１、２または３に記載の受信装置。
【請求項５】
前記等化手段、前記誤り訂正手段、前記誤り率算出手段および前記決定手段を含んだアンテナ系列を複数有する場合に、前記アンテナ系列の後段にそれぞれ設けられ、誤り訂正および前記誤り率の算出を行う第２の誤り訂正手段と、
前記第２の誤り訂正手段によってそれぞれ算出された前記誤り率に基づき、各アンテナ系列からの出力データを構成する際の重み付け値を算出する重み付け値算出手段と
をさらに備えたことを特徴とする請求項１、２または３に記載の受信装置。
【請求項６】
受信装置に設けられ、直交周波数分割多重信号の歪みを補正する等化部が使用する伝送路補間フィルタを複数の伝送路補間フィルタの中から選択するフィルタ選択装置であって、
前記等化部と並列に設けられそれぞれ異なる伝送路補間フィルタが接続された複数の等化手段と、
前記等化手段の後段にそれぞれ設けられ前記等化手段が当該等化手段に接続された伝送路補間フィルタを用いて行った補間結果について誤り訂正を行う複数の誤り訂正手段と、
前記誤り訂正手段による誤り訂正結果に基づいて誤りデータの比率を示す誤り率を算出する誤り率算出手段と、
前記誤り率算出手段によってそれぞれ算出された前記誤り率に基づいて前記等化部において用いられる伝送路補間フィルタを決定する決定手段と
を備えたことを特徴とするフィルタ選択装置。
【発明の詳細な説明】
【技術分野】
【０００１】
この発明は、直交周波数分割多重信号の歪みを補正する等化部が使用する伝送路補間フィルタを複数の伝送路補間フィルタの中から選択する受信装置およびフィルタ選択装置に関し、特に、伝送路補間フィルタを適切に選択することで受信性能を向上させることができる受信装置およびフィルタ選択装置に関する。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある（たとえば、特許文献１参照）。
【０００３】
ところで、上記した車載用ＤＴＶ受信機の場合、車両の速度や向き、車両周辺の環境に応じて受信環境が絶えず変化するので、このような移動環境においても放送波を安定して受信することが求められている。このため、受信信号の歪みを補正する等化回路（等化部）が用いられる。
【０００４】
具体的には、等化部は、伝送路の伝達特性を推定し（伝送路推定）、推定した伝達特性に基づく受信信号の補正を行う。ここで、受信信号の補正においては、あらかじめ用意された複数の伝送路補間フィルタを受信状況に応じて切り替える手法が一般的に用いられている。
【０００５】
たとえば、送信側および受信側で既知なＳＰ（Scattered  Pilot）信号を受信データから抽出して伝送路を推定し、伝送路推定結果に基づいて伝送路補間フィルタを選択する手法が提案されている。
【０００６】
【特許文献１】特開２００４−１３５１２０号公報
【発明の開示】
【発明が解決しようとする課題】
【０００７】
しかしながら、上記した従来技術には、最適な伝送路補間フィルタを必ずしも選択することができないという問題がある。これは、伝送路の推定という「推定結果」に基づいて伝送路補間フィルタを選択しているためであり、伝送路の推定精度が悪い場合には、伝送路補間フィルタの選択結果も適切なものとはならないからである。
【０００８】
なお、複数のアンテナ系列からの信号を合成するダイバーシティ受信装置の場合、各アンテナ系列において伝送路補間フィルタの選択をそれぞれ行う必要がある。しかし、各アンテナ系列における伝送路補間フィルタの選択が適切に行われない場合には、各アンテナ系列からの信号を合成しても有効な結果は得られない。
【０００９】
これらのことから、受信信号の歪みを補正する等化部において用いられる伝送路補間フィルタを適切に選択することができる受信装置あるいはフィルタ選択装置をいかにして実現するかが大きな課題となっている。
【００１０】
本発明は、述した従来技術による問題点を解消するためになされたものであり、伝送路補間フィルタを適切に選択することで受信性能を向上させることができる受信装置およびフィルタ選択装置を提供することを目的とする。
【課題を解決するための手段】
【００１１】
上述した課題を解決し、目的を達成するため、本発明は、直交周波数分割多重信号の歪みを補正する等化部が使用する伝送路補間フィルタを複数の伝送路補間フィルタの中から選択する受信装置であって、前記等化部と並列に設けられそれぞれ異なる伝送路補間フィルタが接続された複数の等化手段と、前記等化手段の後段にそれぞれ設けられ前記等化手段が当該等化手段に接続された伝送路補間フィルタを用いて行った補間結果について誤り訂正を行う複数の誤り訂正手段と、前記誤り訂正手段による誤り訂正結果に基づいて誤りデータの比率を示す誤り率を算出する誤り率算出手段と、前記誤り率算出手段によってそれぞれ算出された前記誤り率に基づいて前記等化部において用いられる伝送路補間フィルタを決定する決定手段とを備えたことを特徴とする。
【００１２】
また、本発明は、受信装置に設けられ、直交周波数分割多重信号の歪みを補正する等化部が使用する伝送路補間フィルタを複数の伝送路補間フィルタの中から選択するフィルタ選択装置であって、前記等化部と並列に設けられそれぞれ異なる伝送路補間フィルタが接続された複数の等化手段と、前記等化手段の後段にそれぞれ設けられ前記等化手段が当該等化手段に接続された伝送路補間フィルタを用いて行った補間結果について誤り訂正を行う複数の誤り訂正手段と、前記誤り訂正手段による誤り訂正結果に基づいて誤りデータの比率を示す誤り率を算出する誤り率算出手段と、前記誤り率算出手段によってそれぞれ算出された前記誤り率に基づいて前記等化部において用いられる伝送路補間フィルタを決定する決定手段とを備えたことを特徴とする。
【発明の効果】
【００１３】
本発明によれば、等化部と並列に設けられそれぞれ異なる伝送路補間フィルタが接続された複数の等化手段と、等化手段の後段にそれぞれ設けられ特定の等化手段がこの等化手段に接続された伝送路補間フィルタを用いて行った補間結果について誤り訂正を行う複数の誤り訂正手段と、誤り訂正手段による誤り訂正結果に基づいて誤りデータの比率を示す誤り率を算出する誤り率算出手段と、誤り率算出手段によってそれぞれ算出された誤り率に基づいて等化部において用いられる伝送路補間フィルタを決定する決定手段とを備えるように構成したので、伝送路補間フィルタを適切に選択することができるという効果を奏する。また、これによって、受信装置における受信性能を向上させることができるという効果を奏する。
【発明を実施するための最良の形態】
【００１４】
以下に添付図面を参照して、この発明に係る受信装置およびフィルタ選択装置の好適な実施例を詳細に説明する。なお、以下では、本発明に係るフィルタ選択手法の概要を説明した後に、本発明に係るフィルタ選択手法を適用した受信装置についての実施例を説明することとする。
【００１５】
まず、本発明に係るフィルタ選択手法の概要について図１を用いて説明する。図１は、本発明に係るフィルタ選択手法の概要を示す図である。なお、同図の（Ａ）には、従来技術に係るフィルタ選択手法について、同図の（Ｂ）には、本発明に係るフィルタ選択手法について、それぞれ示している。
【００１６】
同図の（Ａ）に示すように、従来のフィルタ決定部は、ＦＦＴ（Fast  Fourier  Transform；高速フーリエ変換）部から受け取ったＳＰ（Scattered  Pilot）信号に基づいて等化部が用いる伝送路補間フィルタを決定していた。
【００１７】
具体的には、ＳＰ信号に基づいて伝送路を推定し、推定した伝送路に適した伝送路補間フィルタを選択していた。なお、伝送路補間フィルタとしては、たとえば、シンボル方向（時間軸）およびキャリア方向（周波数軸）についてそれぞれ補間を行う４シンボル補間フィルタ、キャリア方向についてのみ補間を行う毎シンボル補間フィルタなどがある。
【００１８】
しかし、同図の（Ａ）に示した従来のフィルタ決定部は、伝送路推定結果に基づいて伝送路補間フィルタを選択しているため、常に適切な伝送路補間フィルタを選択するとは限らない。これは、伝送路補間フィルタの選択が適切に行われるか否かは、伝送路推定の推定精度に左右されるためである。
【００１９】
そこで、本発明に係るフィルタ選択手法では、フィルタ決定部に、それぞれ異なる伝送路補間フィルタが接続された等価回路および誤り訂正回路を並列に複数系統設け、等化部へ入力されるデータを分岐して、各系統に入力することとした。そして、各誤り訂正回路の誤り訂正結果に基づいて各系統の誤り率を算出し、算出された誤り率を比較することで、最適な伝送路補間フィルタを選択することとした。
【００２０】
具体的には、同図の（Ｂ）に示したように、ＦＦＴ部から等化部へ出力されるデータを分岐し（同図の（１）参照）、フィルタ決定部の各等化回路へ入力する。ここで、各等化回路には、それぞれ異なる伝送路補間フィルタが接続されている（同図の伝送路補間フィルタＡおよび伝送路補間フィルタＢ参照）。
【００２１】
つづいて、各等価回路からの出力はそれぞれ同一の系統に属する誤り訂正回路へ入力され、各誤り訂正回路による誤り訂正結果は、誤り率算出回路へ入力される。この誤り率算出回路は、フィルタ（伝送路補間フィルタ）ごとの誤り率を算出し、フィルタ決定部は、フィルタごとの誤り率に基づいて最適フィルタを決定する（同図の（２）参照）。
【００２２】
そして、フィルタ決定部は、決定したフィルタを等化部に対して通知する（同図の（３）参照）。このように、本発明に係るフィルタ選択手法では、複数の伝送路補間フィルタを用いた等化処理および誤り訂正処理を並行して行い、各系統の誤り率に基づいて最適フィルタを決定することとした。
【００２３】
すなわち、本発明に係るフィルタ選択手法は、伝送路の「推定結果」に基づいてフィルタ選択を行う従来技術（同図の（Ａ）参照）とは異なり、伝送路補間フィルタによる等化処理を行った上での誤り訂正結果に基づいてフィルタ選択を行うので、適切な伝送路補間フィルタを選択することが可能となる。
【００２４】
なお、本発明に係るフィルタ選択手法では、各伝送路補間フィルタを用いた場合における誤り率を、各アンテナブランチの合成処理における重み付けに使用するが、この点については、図４を用いて後述することとする。
【００２５】
以下では、本発明に係るフィルタ選択手法を適用した受信装置についての実施例を説明する。なお、以下の実施例では、４本のアンテナに対応する処理部の組をあらわす「ブランチ」をアンテナと同数備えた受信装置について説明することとする。また、以下の実施例では、自動車などの移動体に設けられる受信装置について示すが、屋内や屋外に設置される受信装置や、携帯電話などのモバイル型受信装置に、本発明を適用することとしてもよい。
【実施例】
【００２６】
図２は、本実施例に係る受信装置１０の構成を示すブロック図である。同図に示すように、受信装置１０は、ブランチ（１）１１と、ブランチ（２）１２と、ブランチ（３）１３と、ブランチ（４）１４と、重み付け算出部１５と、合成部１６と、誤り訂正部１７とを備えている。
【００２７】
また、アンテナ１に対応するブランチ（１）１１は、ＲＦ（Radio  Frequency）／ＩＦ（Intermediate  frequency）部２１と、Ａ（Analog）／Ｄ（Digital）変換部２２と、ＦＦＴ（Fast  Fourier  Transform）部２３と、等化部２４と、フィルタ決定部２５とをさらに備えている。
【００２８】
なお、アンテナ２に対応するブランチ（２）１２、アンテナ３に対応するブランチ（３）１３およびアンテナ４に対応するブランチ（４）１４も、ブランチ（１）１１と同様に、ＲＦ／ＩＦ部２１、Ａ／Ｄ変換部２２、ＦＦＴ部２３、等化部２４およびフィルタ決定部２５を備えているものとする。
【００２９】
ＲＦ／ＩＦ部２１は、アンテナ１からの信号を検波・増幅する処理部であり、検波・増幅後の信号をＡ／Ｄ変換部２２へ出力する。また、Ａ／Ｄ変換部２２は、ＲＦ／ＩＦ部２１からのアナログ信号をデジタル信号へ変換して出力する。
【００３０】
ＦＦＴ部２３は、搬送波に重畳されたデータをＦＦＴ（Fast  Fourier  Transform；高速フーリエ変換）によって取得し、取得したデータを等化部２４へ出力する処理を行う。また、等化部２４は、フィルタ決定部２５によって決定された伝送路補間フィルタを用いて受信信号の補正を行う処理部である。なお、等化部２４は、補正後のデータを合成部１６に対して出力する処理を併せて行う。
【００３１】
フィルタ決定部２５は、ＦＦＴ部２３から等化部２４へ出力されるデータと同一のデータを受け取り、等化部２４が用いるフィルタ（伝送路補間フィルタ）を決定する処理を行う処理部である。ここで、このフィルタ決定部２５の構成について図３を用いて説明しておく。
【００３２】
図３は、フィルタ決定部２５の構成を示すブロック図である。なお、同図には、それぞれ異なる伝送路補間フィルタ２５ｂが接続された等化部２５ａおよび誤り訂正部２５ｃを、ｎ個備えたフィルタ決定部２５を示しており、１〜ｎまでの各系統について、２５ａ−１、２５ａ−２のように、それぞれ枝番を付している。
【００３３】
等化部２５ａ（２５ａ−１〜２５ａ−ｎ）としては、図２に示した等化部２４と同一のものを用いることができる。誤り訂正部２５ｃ（２５ｃ−１〜２５ｃ−ｎ）は、ビタビ（Viterbi）硬判定を用いて誤り訂正を行う処理部である。なお、ビタビ軟判定ではなくビタビ硬判定を用いるのは、フィルタ決定部２５の処理負荷を低減するためである。
【００３４】
伝送路補間フィルタ２５ｂ（２５ｂ−１〜２５ｂ−ｎ）は、たとえば、上記した４シンボル補間フィルタ、毎シンボル補間フィルタといった、それぞれ異なる伝送路補間フィルタである。各等化部２５ａ（２５ａ−１〜２５ａ−ｎ）は、各伝送路補間フィルタ２５ｂ（２５ｂ−１〜２５ｂ−ｎ）をそれぞれ用いることで等化処理を実行する。
【００３５】
たとえば、等化部（１）２５ａ−１は、伝送路補間フィルタ（１）２５ｂ−１を用いて等化処理を行い、等化部（２）２５ａ−２は、伝送路補間フィルタ（２）２５ｂ−２を用いて等化処理を行う。そして、等化部（１）２５ａ−１は等化処理結果を誤り訂正部（１）２５ｃ−１へ、等化部（２）２５ａ−２は等化処理結果を誤り訂正部（２）２５ｃ−２へ、それぞれ出力する。
【００３６】
誤り率算出部２５ｄは、各誤り訂正部２５ｃ（２５ｃ−１〜２５ｃ−ｎ）から、各伝送路補間フィルタ２５ｂ（２５ｂ−１〜２５ｂ−ｎ）についての誤り訂正結果を受け取り、全データに対する誤りデータの比率をあらわす誤り率を、それぞれ算出する。そして、算出した各誤り率を誤り率通知部２５ｆおよび決定フィルタ通知部２５ｅへ、それぞれ出力する。
【００３７】
決定フィルタ通知部２５ｅは、誤り率算出部２５ｄから受け取った各伝送路補間フィルタ２５ｂ（２５ｂ−１〜２５ｂ−ｎ）についての誤り率を対比することで、最適な伝送路補間フィルタを決定したうえで、決定した伝送路補間フィルタを図２に示した等化部２４へ通知する処理を行う処理部である。
【００３８】
具体的には、この決定フィルタ通知部２５ｅは、誤り率が最も小さい伝送路補間フィルタ２５ｂを選択し、選択した伝送路補間フィルタ２５ｂを等化部２４へ通知する。伝送路補間フィルタ２５ｂを通知された等化部２４は、通知された補間フィルタ２５ｂを用いて等化処理を行うことになる。
【００３９】
なお、決定フィルタ通知部２５ｅは、決定したフィルタ（伝送路補間フィルタ２５ｂ）を、随時、等化部２４へ通知するものとするが、通知タイミングを所定の時間間隔ごととすることとしてもよい。また、この決定フィルタ通知部２５ｅは、決定したフィルタを誤り率通知部２５ｆに通知する処理を併せて行う。
【００４０】
誤り率通知部２５ｆは、誤り率算出部２５ｄから各伝送路補間フィルタ２５ｂ（２５ｂ−１〜２５ｂ−ｎ）についての誤り率を受け取り、決定フィルタ通知部２５ｅが決定したフィルタに対応する誤り率を重み付け算出部１５へ通知する処理を行う処理部である。
【００４１】
図２の説明に戻り、重み付け算出部１５について説明する。重み付け算出部１５は、各ブランチ（１１〜１４）のフィルタ決定部２５から誤り率を受け取り、合成部１６における合成処理に用いられるブランチごとの重み付け値を算出する処理を行う処理部である。この重み付け算出部１５は、誤り率が小さいブランチの重み付けが大きく、誤り率が大きいブランチの重み付けが小さくなるように各重み付け値を算出する。
【００４２】
合成部１６は、各ブランチ（１１〜１４）の等化部２４から出力データを受け取るとともに、重み付け算出部１５から各ブランチ（１１〜１４）についての重み付け値を受け取り、受け取った重み付け値に基づいて各ブランチからの出力データを合成する処理を行う処理部である。
【００４３】
ここで、この合成部１６が行う合成処理の概要について図４を用いて説明しておく。図４は、合成処理の概要を示す図である。同図に示すように、合成部１６は、ブランチ（１）１１からの出力データおよび重み付け算出部１５からのブランチ（１）１１用重み付け値に基づく重み付け処理（１）１６ａを行う。
【００４４】
この重み付け処理（１）１６ａと並行して、ブランチ（２）１２に係る重み付け処理１６ｂ、ブランチ（３）１３に係る重み付け処理１６ｃおよびブランチ（４）１４に係る重み付け処理１６ｄを実行し、同図に示す１６ｅで、各重み付け処理の結果を合算する。そして、合算結果を誤り訂正部１７へ出力する。
【００４５】
たとえば、重み付け算出部１５から、ブランチ（１）１１の重み付け値が３０％、ブランチ（２）１２について４０％、ブランチ（３）１３について２０％、ブランチ（４）１４について１０％である旨を通知された場合、各ブランチからの出力データに上記した各重み付け値を乗じたうえで合算することで合成データを生成する。
【００４６】
なお、重み付け値が所定値を超えたブランチからの出力データを用いて合成データを生成したり、最も良い重み付け値に対応するブランチからの出力データをそのまま用いたりすることとしてもよい。
【００４７】
図２の説明に戻り、誤り訂正部１７について説明する。誤り訂正部１７は、合成部１６から受け取った合成データについて、ビタビ軟判定やビタビ硬判定を用いた誤り訂正処理を行う処理部である。また、この誤り訂正部１７は、誤り訂正後のデータをＴＳ（Transport  Stream）信号として外部装置へ出力する処理を行う処理部でもある。
【００４８】
次に、図２および図３に示したフィルタ決定部２５が行うフィルタ決定処理の処理手順について図５を用いて説明する。図５は、フィルタ決定処理の処理手順を示すフローチャートである。同図に示すように、各等化部２５ａは、各伝送路補間フィルタ２５ｂによる等化処理を行う（ステップＳ１０１）。そして、各誤り訂正部２５ｃは、各等化部２５ａの出力について誤り訂正処理を行う（ステップＳ１０２）。
【００４９】
つづいて、誤り率算出部２５ｄは、各伝送路補間フィルタ２５ｂに対応する誤り率をそれぞれ算出し（ステップＳ１０３）、決定フィルタ通知部２５ｅは、各誤り率を対比する（ステップＳ１０４）。
【００５０】
そして、最小の誤り率であるか否かを判定し（ステップＳ１０５）、最小の誤り率である場合には（ステップＳ１０５，Ｙｅｓ）、対応する伝送路補間フィルタを選択する（ステップＳ１０６）。なお、ステップＳ１０５の判定条件を満たさない場合には（ステップＳ１０５，Ｎｏ）、ステップＳ１０５の処理を繰り返す。
【００５１】
そして、決定フィルタ通知部２５ｅは、選択した伝送路補間フィルタ２５ｂを等化部２４へ通知する（ステップＳ１０７）。また、誤り率通知部２５ｆは、決定フィルタ通知部２５ｅが選択した伝送路補間フィルタ２５ｂに対応する誤り率を重み付け算出部１５へ通知し（ステップＳ１０８）、処理を終了する。
【００５２】
ところで、これまでは、重み付け算出部１５が、各ブランチ（１１〜１４）のフィルタ決定部２５から通知された誤り率に基づいて重み付け値を算出する場合について説明してきた。しかし、各ブランチ（１１〜１４）の後段に誤り訂正部を設けることとし、後段に設けられた各誤り訂正部から誤り率を受け取ることとしてもよい。
【００５３】
そこで、以下では、各ブランチ（１１〜１４）の後段に、それぞれ誤り訂正部を設けた場合について説明する。なお、以下では、図２と同一の構成要素には同一の符号を付し、説明を省略するか、簡単な説明にとどめることとする。
【００５４】
図６は、変形例に係る受信装置１０ａの構成を示すブロック図である。同図に示すように、変形例に係る受信装置１０ａは、ブランチ（１）１１の後段に誤り訂正部３１ａを、ブランチ（２）１２の後段に誤り訂正部３１ｂを、ブランチ（３）１３の後段に誤り訂正部３１ｃを、ブランチ（４）の後段に誤り訂正部３１ｄを、それぞれ備える点で、図２に示した受信装置１０とは異なる。
【００５５】
ここで、各誤り訂正部３１ａは、図３に示した誤り訂正部２５ｃ（２５ｃ−１〜２５ｃ−ｎ）と同様に、ビタビ硬判定を用いて誤り訂正を行う処理部である。なお、ビタビ軟判定ではなくビタビ硬判定を用いるのは、フィルタ決定部２５の処理負荷を低減するためである。
【００５６】
図６に示した重み付け算出部１５は、誤り訂正部３１ａ、誤り訂正部３１ｂ、誤り訂正部３１ｃおよび誤り訂正部３１ｄから、各ブランチ（１１〜１４）の誤り率を受け取り、受け取った各誤り率に基づいて各ブランチ（１１〜１４）についての重み付け値を算出する。
【００５７】
上述してきたように、本実施例では、等化部と並列に設けられそれぞれ異なる伝送路補間フィルタが接続された複数の等化手段と、等化手段の後段にそれぞれ設けられ特定の等化手段がこの等化手段に接続された伝送路補間フィルタを用いて行った補間結果について誤り訂正を行う複数の誤り訂正手段と、誤り訂正手段による誤り訂正結果に基づいて誤りデータの比率を示す誤り率を算出する誤り率算出手段と、誤り率算出手段によってそれぞれ算出された誤り率に基づいて等化部において用いられる伝送路補間フィルタを決定する決定手段とを有するフィルタ決定部を備えるように受信装置を構成した。
【００５８】
したがって、各伝送路補間フィルタを用いた実際の誤り訂正結果に基づいて最適な伝送路補間フィルタを選択することができる。また、最適な伝送路補間フィルタを選択することで、受信装置における受信性能を向上させることができる。
【００５９】
なお、上述した実施例では、フィルタ決定部が、ｎ個のそれぞれ異なる伝送路補間フィルタを備え、ｎ個すべての系統を並列動作させる場合について示したが、過去の受信状況に応じて並列動作させる系統の数をｎ個よりも小さい数とすることとしてもよい。このようにすることで、フィルタ決定部の処理負荷を低減することができる。
【００６０】
また、上述した実施例では、フィルタ決定部が、ｎ個の系統における誤り率をそれぞれ対比する場合について示したが、対比処理においては、たとえば、２分木などのツリー構造を用いることができる。
【産業上の利用可能性】
【００６１】
以上のように、本発明に係る受信装置およびフィルタ選択装置は、等化処理における伝送路補間フィルタ選択において最適なフィルタを選択したい場合に有用であり、特に、自動車などのように受信状況が変化しやすい環境においても受信状態を安定させたい場合に適している。
【図面の簡単な説明】
【００６２】
【図１】本発明に係るフィルタ選択手法の概要を示す図である。
【図２】本実施例に係る受信装置の構成を示すブロック図である。
【図３】フィルタ決定部の構成を示すブロック図である。
【図４】合成処理の概要を示す図である。
【図５】フィルタ決定処理の処理手順を示すフローチャートである。
【図６】変形例に係る受信装置の構成を示すブロック図である。
【符号の説明】
【００６３】
１、２、３、４  アンテナ
１０    受信装置
１１、１２、１３、１４  ブランチ
１５    重み付け算出部
１６    合成部
１７    誤り訂正部
２１    ＲＦ／ＩＦ部
２２    Ａ／Ｄ変換部
２３    ＦＦＴ部
２４    等化部
２５    フィルタ決定部
２５ａ  等化部
２５ｂ  伝送路補間フィルタ
２５ｃ  誤り訂正部
２５ｄ  誤り率算出部
２５ｅ  決定フィルタ通知部
２５ｆ  誤り率通知部
３１ａ、３１ｂ、３１ｃ、３１ｄ  誤り訂正部
【図１】
2010063028.tif 000003
【図２】
2010063028.tif 000004
【図３】
2010063028.tif 000005
【図４】
2010063028.tif 000006
【図５】
2010063028.tif 000007
【図６】
2010063028.tif 000008